(57)【要約】【課題】呼制御以外の要因によるＣＰＵ負荷の上昇と呼の瞬間的な増加のいずれにも対応して呼の受付規制を実行可能とする。【解決手段】呼受付制御装置は、呼の受付可否の判定に使用する呼受付判定用のカウンタ１１を有し、このカウンタ１１の値に基づいて呼の受付可否の判定を行う呼受付判定部１０と、呼受付判定部１０の判定に従って呼制御を行い、呼の受付ごとにカウンタ１１のカウントダウン要求信号を呼受付判定部１０に送信する呼制御部３０と、所定の周期で動作するタイマ４１を有し、この所定の周期でカウンタ１１のカウントアップ要求信号を呼受付判定部１０に送信する定周期タイマ部４０と、呼制御の機能に関するＣＰＵ使用率を測定するＣＰＵ使用率測定部２０とを備え、カウンタ１１の設定値及びカウントアップ周期をＣＰＵ使用率に基づいて変更する。【選択図】　図１
2004048580.tif 000002
【特許請求の範囲】
【請求項１】
呼の受付可否の判定に使用する呼受付判定用カウンタと、
所定の周期で動作する定周期タイマを有し、この定周期タイマの動作周期で、前記呼受付判定用カウンタのカウントアップ要求信号を送信する定周期タイマ手段と、
呼制御の機能に関するＣＰＵ使用率を測定するＣＰＵ使用率測定手段と、
前記呼受付判定用カウンタの値と前記ＣＰＵ使用率測定手段で測定したＣＰＵ使用率とを用いて呼の受付可否の判定を行う呼受付判定手段と、
前記呼受付判定手段の判定に従って呼制御を行い、呼の受付ごとに、前記呼受付判定用カウンタのカウントダウン要求信号を送信する呼制御手段と、
を備えたことを特徴とする呼受付制御装置。
【請求項２】
前記呼受付判定手段は、前記呼受付判定用カウンタの値が第１の設定値に達した場合に呼の受付規制を開始し、前記第１の設定値とは異なる第２の設定値に達した場合に呼の受付規制を解除することを特徴とする請求項１に記載の呼受付制御装置。
【請求項３】
前記呼受付判定手段は、前記ＣＰＵ使用率測定手段で測定したＣＰＵ使用率が第１の設定値に達した場合に呼の受付規制を開始し、前記第１の設定値とは異なる第２の設定値に達した場合に呼の受付規制を解除することを特徴とする請求項１に記載の呼受付制御装置。
【請求項４】
前記定周期タイマ手段は、前記ＣＰＵ使用率測定手段で測定したＣＰＵ使用率に応じて、前記呼受付判定用カウンタのカウントアップ要求信号の送信周期を変更することを特徴とする請求項１ないし３のいずれかに記載の呼受付制御装置。
【請求項５】
前記呼受付判定手段は、前記ＣＰＵ使用率測定手段で測定したＣＰＵ使用率に応じて、前記呼受付判定用カウンタの設定値を変更することを特徴とする請求項１ないし３のいずれかに記載の呼受付制御装置。
【請求項６】
呼受付規制程度を検知する呼受付規制程度判定手段を備え、前記呼受付判定手段は、前記呼受付規制程度判定手段で検知した呼受付規制程度の変化に応じて、呼の受付規制を開始するＣＰＵ使用率の値、及び呼の受付規制を解除するＣＰＵ使用率の値を変更することを特徴とする請求項１ないし５のいずれかに記載の呼受付制御装置。
【請求項７】
前記定周期タイマ手段は、前記呼受付規制程度判定手段で検知した呼受付規制程度の変化に応じて、前記呼受付判定用カウンタのカウントアップ要求信号の送信周期を変更することを特徴とする請求項６に記載の呼受付制御装置。
【請求項８】
前記呼受付判定手段は、前記呼受付規制程度判定手段で検知した呼受付規制程度の変化に応じて、前記呼受付判定用カウンタの設定値を変更することを特徴とする請求項６に記載の呼受付制御装置。
【請求項９】
請求項１ないし８のいずれかに記載の呼受付制御装置を備える無線基地局装置。
【請求項１０】
請求項１ないし８のいずれかに記載の呼受付制御装置を備える回線交換装置。
【請求項１１】
呼制御の機能に関するＣＰＵ使用率を測定するＣＰＵ使用率測定ステップと、
所定の周期で動作する定周期タイマの動作周期で、呼の受付可否の判定に使用する呼受付判定用カウンタのカウントアップ要求信号を送信する定周期タイマ出力ステップと、
前記呼受付判定用カウンタの値と、前記ＣＰＵ使用率測定ステップで測定したＣＰＵ使用率とを用いて、呼の受付可否の判定を行う呼受付判定ステップと、
前記呼受付判定ステップの判定に従って呼制御を行い、呼の受付ごとに、前記呼受付判定用カウンタのカウントダウン要求信号を送信する呼制御ステップと、
を有することを特徴とする呼受付制御方法。
【請求項１２】
呼受付規制程度を検知する呼受付規制程度判定ステップを有し、
前記呼受付判定ステップにおいて、前記呼受付規制程度判定ステップで検知した呼受付規制程度の変化に応じて、呼の受付規制を開始するＣＰＵ使用率の値、及び呼の受付規制を解除するＣＰＵ使用率の値を変更することを特徴とする請求項１１に記載の呼受付制御方法。
【発明の詳細な説明】
【０００１】
【発明の属する技術分野】
本発明は、呼制御トラヒックの増加により装置の処理負荷が上昇した場合に、処理の遅延や呼損発生を阻止するため、呼の受付規制を行う呼受付制御装置及び方法に関する。
【０００２】
【従来の技術】
電話網の交換機や移動体通信網の無線基地局などは、呼の集中により過負荷状態になることを防御するため、呼の受付規制を行う機能を備えている。
【０００３】
従来の呼受付規制方法では、処理を行った呼の数をカウンタでカウントし、一定時間内に規定呼数以上になる場合に呼の受付規制を行うカウンタ判定方式や、呼制御に係わるＣＰＵ使用率が所定の値以上になった場合に呼の受付規制を行うＣＰＵ使用率判定方式などが採用されている。
【０００４】
【発明が解決しようとする課題】
しかしながら、従来の呼受付規制方法では、上記カウンタ判定方式は、呼制御以外の要因でＣＰＵに負荷がかかった場合に規制がかけられないという問題点があった。
【０００５】
また、上記ＣＰＵ使用率判定方式は、呼制御のリアルタイム性に乏しいという問題点があった。例えば、特開２０００−２５３４５２号公報には、ＣＰＵ使用率を用いて呼の受付規制を行う移動体通信システムが開示されている。この呼受付規制方法では、ＣＰＵ使用率は呼の受付を行った結果上昇するものであり、また、呼の規制は、直前のＣＰＵ使用率に基づいて行われるため、ＣＰＵ使用率の測定時間よりも短い時間で呼が瞬間的に急増するような場合に対しては有効でない。
【０００６】
本発明は、上記事情に鑑みてなされたもので、その目的は、呼制御以外の要因によるＣＰＵ負荷の上昇、及び呼の瞬間的な増加にも対応して呼の受付規制を行うことが可能な呼受付制御装置及び呼受付制御方法を提供することにある。
【０００７】
【課題を解決するための手段】
本発明の呼受付制御装置は、呼の受付可否の判定に使用する呼受付判定用カウンタと、所定の周期で動作する定周期タイマを有し、この定周期タイマの動作周期で、前記呼受付判定用カウンタのカウントアップ要求信号を送信する定周期タイマ手段と、呼制御の機能に関するＣＰＵ使用率を測定するＣＰＵ使用率測定手段と、前記呼受付判定用カウンタの値と前記ＣＰＵ使用率測定手段で測定したＣＰＵ使用率とを用いて呼の受付可否の判定を行う呼受付判定手段と、前記呼受付判定手段の判定に従って呼制御を行い、呼の受付ごとに、前記呼受付判定用カウンタのカウントダウン要求信号を送信する呼制御手段と、を備えたことを特徴とする。
【０００８】
上記構成によれば、呼の受付可否の判定に呼受付判定用カウンタの値と測定したＣＰＵ使用率とを用いることにより、呼制御以外の要因によるＣＰＵ負荷の上昇と呼の瞬間的な増加のいずれにも対応して呼の受付規制が行える。
【０００９】
また、前記呼受付判定手段は、前記呼受付判定用カウンタの値が第１の設定値に達した場合に呼の受付規制を開始し、前記第１の設定値とは異なる第２の設定値に達した場合に呼の受付規制を解除することを特徴とする。
【００１０】
上記構成では、例えば呼受付判定用カウンタの値が現在受付可能な呼の数を示すようにし、予め設定した呼受付判定用カウンタの設定値に応じて、呼の受付規制の開始、解除を行うことにより、呼の受付数が所定値以上に達した場合に受付規制が実施されるため、呼の受付負荷の増減に対応して適切な呼制御を実行可能となる。
【００１１】
また、前記呼受付判定手段は、前記ＣＰＵ使用率測定手段で測定したＣＰＵ使用率が第１の設定値に達した場合に呼の受付規制を開始し、前記第１の設定値とは異なる第２の設定値に達した場合に呼の受付規制を解除することを特徴とする。
【００１２】
上記構成では、予め設定したＣＰＵ使用率の設定値に応じて、呼の受付規制の開始、解除を行うことにより、ＣＰＵ使用率が所定値以上に達した場合に受付規制が実施されるため、ＣＰＵ使用率の増減に対応して適切な呼制御を実行可能となる。
【００１３】
また、前記定周期タイマ手段は、前記ＣＰＵ使用率測定手段で測定したＣＰＵ使用率に応じて、前記呼受付判定用カウンタのカウントアップ要求信号の送信周期を変更することを特徴とする。
【００１４】
上記構成では、測定したＣＰＵ使用率に応じて、呼受付判定用カウンタのカウントアップ要求信号の送信周期を変更することにより、現在のＣＰＵ使用率と呼の受付負荷に応じた適切な呼の受付規制が実行可能となる。
【００１５】
また、前記呼受付判定手段は、前記ＣＰＵ使用率測定手段で測定したＣＰＵ使用率に応じて、前記呼受付判定用カウンタの設定値を変更することを特徴とする。
【００１６】
上記構成では、測定したＣＰＵ使用率に応じて、呼受付判定用カウンタの設定値を変更することにより、現在のＣＰＵ使用率と呼の受付負荷に応じた適切な呼の受付規制が実行可能となる。
【００１７】
また、呼受付規制程度を検知する呼受付規制程度判定手段を備え、前記呼受付判定手段は、前記呼受付規制程度判定手段で検知した呼受付規制程度の変化に応じて、呼の受付規制を開始するＣＰＵ使用率の値、及び呼の受付規制を解除するＣＰＵ使用率の値を変更することを特徴とする。
【００１８】
上記構成では、呼受付規制程度の変化に応じて、呼の受付規制を開始するＣＰＵ使用率の値、及び呼の受付規制を解除するＣＰＵ使用率の値を変更することにより、呼受付規制程度及びＣＰＵ使用率に応じた呼受付規制の判定基準のフィードバックを行うことができ、適切な呼の受付規制が実行可能となる。
【００１９】
また、前記定周期タイマ手段は、前記呼受付規制程度判定手段で検知した呼受付規制程度の変化に応じて、前記呼受付判定用カウンタのカウントアップ要求信号の送信周期を変更することを特徴とする。
【００２０】
上記構成では、呼受付規制程度の変化に応じて、呼受付判定用カウンタのカウントアップ要求信号の送信周期を変更することにより、呼受付規制程度とＣＰＵ使用率に応じた適切な呼の受付規制が実行可能となる。
【００２１】
また、前記呼受付判定手段は、前記呼受付規制程度判定手段で検知した呼受付規制程度の変化に応じて、前記呼受付判定用カウンタの設定値を変更することを特徴とする。
【００２２】
上記構成では、呼受付規制程度の変化に応じて、呼受付判定用カウンタの設定値を変更することにより、呼受付規制程度とＣＰＵ使用率に応じた適切な呼の受付規制が実行可能となる。
【００２３】
また、本発明は、上記いずれかに記載の呼受付制御装置を備える無線基地局装置、或いは回線交換装置を提供する。
【００２４】
上記構成により、無線基地局装置や回線交換装置において、呼制御以外の要因によるＣＰＵ負荷の上昇と呼の瞬間的な増加のいずれにも対応して呼の受付規制が実行可能であり、ＣＰＵ使用率や呼の受付負荷に応じた適切な呼制御が行えるようになる。
【００２５】
本発明の呼受付制御方法は、呼制御の機能に関するＣＰＵ使用率を測定するＣＰＵ使用率測定ステップと、所定の周期で動作する定周期タイマの動作周期で、呼の受付可否の判定に使用する呼受付判定用カウンタのカウントアップ要求信号を送信する定周期タイマ出力ステップと、前記呼受付判定用カウンタの値と、前記ＣＰＵ使用率測定ステップで測定したＣＰＵ使用率とを用いて、呼の受付可否の判定を行う呼受付判定ステップと、前記呼受付判定ステップの判定に従って呼制御を行い、呼の受付ごとに、前記呼受付判定用カウンタのカウントダウン要求信号を送信する呼制御ステップと、を有することを特徴とする。
【００２６】
上記手順によれば、呼の受付可否の判定に呼受付判定用カウンタの値と測定したＣＰＵ使用率とを用いることにより、呼制御以外の要因によるＣＰＵ負荷の上昇と呼の瞬間的な増加のいずれにも対応して呼の受付規制が行える。また、例えば呼受付判定用カウンタの値が現在受付可能な呼の数を示すようにし、予め設定した呼受付判定用カウンタの設定値に応じて、呼の受付規制の開始、解除を行うことにより、呼の受付数が所定値以上に達した場合に受付規制が実施されるため、呼の受付負荷の増減に対応して適切な呼制御を実行可能となる。また、予め設定したＣＰＵ使用率の設定値に応じて、呼の受付規制の開始、解除を行うことにより、ＣＰＵ使用率が所定値以上に達した場合に受付規制が実施されるため、ＣＰＵ使用率の増減に対応して適切な呼制御を実行可能となる。
【００２７】
また、呼受付規制程度を検知する呼受付規制程度判定ステップを有し、前記呼受付判定ステップにおいて、前記呼受付規制程度判定ステップで検知した呼受付規制程度の変化に応じて、呼の受付規制を開始するＣＰＵ使用率の値、及び呼の受付規制を解除するＣＰＵ使用率の値を変更することを特徴とする。
【００２８】
上記手順によれば、呼受付規制程度の変化に応じて、呼の受付規制を開始するＣＰＵ使用率の値、及び呼の受付規制を解除するＣＰＵ使用率の値を変更することにより、呼受付規制程度及びＣＰＵ使用率に応じた呼受付規制の判定基準のフィードバックを行うことができ、適切な呼の受付規制が実行可能となる。
【００２９】
【発明の実施の形態】
以下、図面を参照して本発明の実施形態を説明する。
図１は、本発明の一実施形態に係る呼受付制御装置の概略構成を示すブロック図である。本実施形態の呼受付制御装置は、電話網の回線交換機や移動体通信網の無線基地局などに適用可能である。なお、本実施形態の呼受付制御装置の動作手順が呼受付制御方法に該当し、また、コンピュータにおける処理実行により本実施形態の呼受付制御装置の機能を実現するプログラムも本発明に含まれる。
【００３０】
本実施形態における呼受付制御装置は、主に、呼受付判定部１０、ＣＰＵ使用率測定部２０、呼制御部３０、定周期タイマ部４０、呼受付規制程度判定部５０を有して構成される。
【００３１】
さらに、呼受付判定部１０は、現在受け付けることのできる呼の数を示すカウンタ１１を備え、定周期タイマ部４０は、所定の周期の計時を行うタイマ４１を備える。カウンタ１１は、初期設定値（上限値）からカウントを開始し、呼を受け付けるたびに減算（カウントダウン）され、また、タイマ４１がタイムアウトするたびに加算（カウントアップ）される。
【００３２】
これらの呼受付判定部１０、ＣＰＵ使用率測定部２０、呼制御部３０、定周期タイマ部４０、呼受付規制程度判定部５０は、それぞれ制御線６０ないし６５によって接続されている。
【００３３】
呼制御部３０は、呼が発生するたびに呼受付判定部１０に対して制御線６０を介して呼の受付可否の問い合わせを行い、判定結果を再び制御線６０を介して取得する。ここで、問い合わせ結果が呼受付可能であれば呼の受付を行い、呼受付不可であれば呼の受付を拒否する。受付可能の判定に従って、呼制御部３０で呼が受け付けられると、呼受付判定部１０はカウンタ１１を所定数だけカウントダウンする。
【００３４】
また、定周期タイマ部４０は、タイマ４１により所定の時間間隔で起動され、起動時に、カウンタ１１を所定数だけカウントアップする要求信号を制御線６１を介して呼受付判定部１０に送信する。定周期タイマ部４０より要求信号を受けた呼受付判定部１０は、カウンタ１１を所定数だけカウントアップする。
【００３５】
ＣＰＵ使用率測定部２０は、呼制御部３０を含む呼受付制御装置のＣＰＵ使用率を監視し、測定結果を、制御線６２を介して定周期タイマ部４０へ、また制御線６３を介して呼受付判定部１０へ送信する。
【００３６】
ＣＰＵ使用率測定部２０からＣＰＵ使用率の情報を受信した定周期タイマ部４０は、ＣＰＵ使用率に応じてタイマ４１の設定値（即ち起動周期）を変更する。ここで、ＣＰＵ使用率が高い場合は起動周期を長くし、ＣＰＵ使用率が低い場合は起動周期を短くする。
【００３７】
ＣＰＵ使用率測定部２０からＣＰＵ使用率の情報を受信した呼受付判定部１０は、ＣＰＵ使用率に応じてカウンタ１１の設定値（最大値）を変更する。ここで、ＣＰＵ使用率が高い場合はカウンタ１１の設定値を下げ、ＣＰＵ使用率が低い場合はカウンタ１１の設定値を上げる。
【００３８】
呼受付規制程度判定部５０は、呼制御部３０を含む呼受付制御装置の動作状況を監視し、呼受付規制程度を判定する。また、判定結果を制御線６４を介して定周期タイマ部４０へ、また制御線６５を介して呼受付判定部１０へ送信する。
【００３９】
呼受付規制程度判定部５０から呼受付規制程度の情報を受信した定周期タイマ部４０は、呼受付規制程度に応じてタイマ４１の設定値（即ち起動周期）を変更する。ここで、呼受付規制程度が高い場合は起動周期を長くし、呼受付規制程度が低い場合は起動周期を短くする。
【００４０】
呼受付規制程度判定部５０から呼受付規制程度の情報を受信した呼受付判定部１０は、呼受付規制程度に応じてカウンタ１１の設定値を変更する。ここで、呼受付規制程度が高い場合は設定値を下げ、呼受付規制程度が低い場合は設定値を上げる。
【００４１】
また、呼受付規制程度判定部５０から呼受付規制程度の情報を受信した呼受付判定部１０は、呼受付規制程度に応じて呼受付規制を開始するＣＰＵ使用率及び呼受付規制を解除するＣＰＵ使用率の値を変更する。呼受付規制程度が高い場合はそれぞれの値を下げ、呼受付規制程度が低い場合はそれぞれの値を上げる。
【００４２】
次に、本発明の実施形態における呼受付制御装置の動作について、図２から図４のフローチャートを用いて説明する。
【００４３】
図２は、呼受付判定部１０のカウンタ１１の動作アルゴリズムを示したフローチャートである。はじめに、ステップＳ１１において、定周期タイマ部４０からカウンタのカウントアップ（インクリメント）要求を受信すると、ステップＳ１２へ進む。
【００４４】
ステップＳ１２において、現在のカウンタの値が設定値（最大値）より小さい場合は、カウンタ１１に１を加算して（ステップＳ１３）、ステップＳ１４に進む。ステップＳ１４において、加算後のカウンタの値が１の場合、呼受付規制状態を「規制解除中」にする（ステップＳ１５）。ステップＳ１４において、加算後のカウンタの値が１以外の場合、呼受付規制の状態を変化させずに処理を終了する。
【００４５】
一方、ステップＳ１２において、現在のカウンタの値が設定値より大きい場合、カウンタ１１には設定値を代入し（ステップＳ１６）、設定値と同じ値の場合はそのまま処理を終了する。
【００４６】
次に、ステップＳ１１において、呼制御部３０から呼受付情報を受信すると、ステップＳ１７に進む。ステップＳ１７において、カウンタの値が０より大きい場合は、カウンタ１１から１減算して（ステップＳ１８）ステップＳ１９に進む。一方、ステップＳ１７において、カウンタの値が０の場合、呼受付規制の状態を変化させずに処理を終了する。
【００４７】
ステップＳ１９において、減算後のカウンタの値が０の場合、呼受付規制状態を「規制中」にする（ステップＳ２０）。ステップＳ１９において、カウンタの値が０の場合、呼受付規制の状態を変化させずに処理を終了する。
【００４８】
次に、図３は、呼受付判定部１０の呼受付規制開始及び解除、並びに各種設定値変更に関する動作アルゴリズムを示したフローチャートである。はじめに、ステップＳ２１において、呼受付判定部１０が、ＣＰＵ使用率測定部２０からＣＰＵ使用率の測定値を受信すると、ステップＳ２２に進む。
【００４９】
ステップＳ２２において、呼受付規制の状態が「規制中」である場合、ステップＳ２３に進む。ステップＳ２３において、測定値が呼受付規制を解除するＣＰＵ使用率の値（下限値）より小さい場合、呼受付規制の状態を「規制解除中」にする（ステップＳ２４）。一方、ステップＳ２３において、測定値が下限値以上の場合、呼受付規制の状態を変化させずに次のステップに進む。
【００５０】
ステップＳ２２において、呼受付規制の状態が「規制中」でない場合、ステップＳ２５に進む。ステップＳ２５において、測定値が、呼受付規制を開始するＣＰＵ使用率の値（上限値）より大きい場合、呼受付規制の状態を「規制中」にする（ステップＳ２６）。一方、ステップＳ２５において、測定値が上限値以下の場合、呼受付規制の状態を変化させずに次のステップに進む。
【００５１】
次に、ステップＳ２１において、呼受付判定部１０が、呼受付規制程度判定部５０から呼受付規制程度情報を受信すると、ステップＳ２７に進む。ステップＳ２７では、呼受付規制程度に応じて、呼受付規制を開始するＣＰＵ使用率（上限値）及び呼受付規制を解除するＣＰＵ使用率（下限値）を変更する。
【００５２】
最後に、ステップＳ２８において、呼受付判定部１０は、ステップＳ２１でＣＰＵ使用率の測定値を受信した場合は受信したＣＰＵ使用率に応じて、ステップＳ２２で呼受付規制程度情報を受信した場合は受信した呼受付規制程度情報に応じて、カウンタ１１の設定値（最大値）を変更する。
【００５３】
次に、図４は、定周期タイマ部４０の動作アルゴリズムを示したフローチャートである。
【００５４】
ステップＳ３１において、ＣＰＵ使用率測定部２０からＣＰＵ使用率を受信すると、受信したＣＰＵ使用率に応じて定周期タイマ部４０の設定値を変更する（ステップＳ３２）。また、ステップＳ３１において、タイマ４１のタイムアウトを受信すると、カウンタのカウントアップ要求が呼受付判定部１０へ送信される（ステップＳ３３）。さらに、ステップＳ３１において、呼受付規制程度判定部５０から呼受付規制程度情報を受信すると、呼受付規制程度の変化に応じて、定周期タイマ部４０の設定値を変更する。
【００５５】
上述したように、本実施形態によれば、呼受付判定部１０及びカウンタ１１とＣＰＵ使用率測定部２０との両方を備え、呼受付判定用のカウンタ１１の設定値及びカウントアップ周期をＣＰＵ使用率に基づいて変更することにより、呼制御以外の要因によるＣＰＵ負荷の上昇、及び、呼の受付数の瞬間的な上昇のいずれにも対応して呼の受付規制を行うことができる。
【００５６】
また、呼受付規制程度判定部５０を備え、呼受付判定用のカウンタ１１の設定値及びカウントアップ周期、並びに呼受付規制の判定基準となるＣＰＵ使用率の値を、呼受付規制程度の変化に応じて変更することにより、呼受付規制の判定基準のフィードバックを行うことができる。
【００５７】
【発明の効果】
以上説明したように本発明によれば、呼制御以外の要因によるＣＰＵ負荷の上昇、及び呼の瞬間的な増加にも対応して呼の受付規制を行うことが可能な呼受付制御装置及び呼受付制御方法を提供できる。
【図面の簡単な説明】
【図１】
本発明の実施形態における呼受付制御装置の概略構成を示すブロック図
【図２】
呼受付判定部のカウンタの動作アルゴリズムを示したフローチャート
【図３】
呼受付判定部の呼受付規制開始・解除、及び設定値変更に関する動作アルゴリ
ズムを示したフローチャート
【図４】
定周期タイマ部の動作アルゴリズムを示したフローチャート
【符号の説明】
１０　呼受付判定部
１１　カウンタ
２０　ＣＰＵ使用率測定部
３０　呼制御部
４０　定周期タイマ部
４１　タイマ
５０　呼受付規制程度判定部
６０、６１、６２、６３、６４、６５　制御線
【図１】
2004048580.tif 000003
【図２】
2004048580.tif 000004
【図３】
2004048580.tif 000005
【図４】
2004048580.tif 000006